(57)【要約】【課題】近距離観察時の輻輳値を小型かつ簡単な機構で補正することができ、また、輻輳値を高精度で補正することができる双眼鏡を提供すること。【解決手段】本発明の双眼鏡１は、一対の観察光学系２Ｌ、２Ｒと、フォーカシング機構５と、フォーカシング機構５の作動に連動して対物光学系２１Ｌ、２１Ｒを変位させることにより輻輳値を補正する輻輳値補正機構とを備える。接眼光学系２３Ｌ、２３Ｒは、それぞれ、観察対象物の距離が無限大のときの合焦状態における対物光学系２１Ｌ、２１Ｒの光軸Ｏ１Ｌ、Ｏ１Ｒを中心として回動可能に設置されており、この回動により両接眼光学系２３Ｌ、２３Ｒの光軸Ｏ２Ｌ、Ｏ２Ｒ間距離を調整可能である。使用時における両対物光学系２１Ｌ、２１Ｒの光軸Ｏ１Ｌ、Ｏ１Ｒ間距離の最大値は、両接眼光学系２３Ｌ、２３Ｒの光軸Ｏ２Ｌ、Ｏ２Ｒ間距離の最小値より小さい。【選択図】図１
2005221991.tif 000002
【特許請求の範囲】
【請求項１】
対物光学系、正立光学系および接眼光学系を有する観察光学系を一対備えた双眼鏡であって、
前記観察光学系の一部を移動させることによりフォーカシングを行うフォーカシング機構と、
前記フォーカシング機構の作動に連動して前記対物光学系の全部または一部である対物変位要素を変位させることにより輻輳値を補正する輻輳値補正機構とを備え、
前記両接眼光学系は、使用者の眼幅に合わせてその光軸間距離を調整可能であり、
使用時における前記両対物変位要素の光軸間距離の最大値が前記両接眼光学系の光軸間距離の最小値より小さいことを特徴とする双眼鏡。
【請求項２】
前記観察光学系は、前記接眼光学系の、前記正立光学系に対する入射側光軸と射出側光軸とで所定の段差を有し、
前記両対物変位要素を収納する、一体となった本体と、
左側の前記入射側光軸を中心として前記本体に対し回動可能に設置され、左側の前記接眼光学系および前記正立光学系を収納する左鏡体と、
右側の前記入射側光軸を中心として前記本体に対し回動可能に設置され、右側の前記接眼光学系および前記正立光学系を収納する右鏡体とをさらに備え、
前記本体に対し前記左鏡体および前記右鏡体を回動させることにより前記両接眼光学系の前記射出側光軸間距離を調整可能である請求項１に記載の双眼鏡。
【請求項３】
前記輻輳値補正機構は、前記両対物変位要素の光軸間距離を変化させることにより輻輳値を補正する請求項１または２に記載の双眼鏡。
【請求項４】
前記各対物変位要素は、その光軸に平行な直線を中心として回動可能に設置されており、この回動により前記両対物変位要素の光軸間距離が変化する請求項３に記載の双眼鏡。
【請求項５】
前記フォーカシング機構は、前記対物変位要素を移動させることによりフォーカシングを行うように構成されており、
前記輻輳値補正機構は、前記フォーカシング機構の作動によって前記各対物変位要素が移動するのに伴って前記各対物変位要素が前記各直線を中心として回動するように案内する部分を有する案内手段で構成されている請求項４に記載の双眼鏡。
【請求項６】
前記案内手段は、前記対物光学系の光軸に平行に設置され、前記各対物変位要素の回動中心となるガイド軸と、前記対物光学系の光軸に対し傾斜した方向に沿って延びる傾斜部を少なくとも一部に有するガイドレールと、前記各対物変位要素を保持するレンズ枠に設けられ、前記ガイドレールに係合する係合部とを有し、
前記係合部が前記ガイドレールの傾斜部に係合した状態では、前記フォーカシング機構の作動によって前記各対物変位要素が移動するのに伴って前記各対物変位要素が前記各ガイド軸を中心として回動する請求項５に記載の双眼鏡。
【請求項７】
前記各対物変位要素を保持するレンズ枠をさらに備え、
前記両レンズ枠は、それぞれ、前記両対物変位要素の光軸間距離が小さくなったときに互いに接近する部分が欠損した形状をなしており、この部分を欠損させなかった場合よりもさらに近くまで互いに接近可能になっている請求項３ないし６のいずれかに記載の双眼鏡。
【請求項８】
前記両対物変位要素は、それぞれ、その光軸間距離が小さくなったときに互いに接近する部分が欠損した形状をなしており、この部分を欠損させなかった場合よりもさらに近くまで互いに接近可能になっている請求項３ないし７のいずれかに記載の双眼鏡。
【発明の詳細な説明】
【技術分野】
【０００１】
本発明は、双眼鏡に関する。
【背景技術】
【０００２】
一般的な双眼鏡で無限遠を観察した場合、左眼に見える観察視野と右眼に見える観察視野はほぼ完全に重なり、両眼で一つの観察視野に見える。その双眼鏡で数ｍ以下の近距離を観察した場合、左眼と右眼の観察視野の重なる領域が一部しかなくなり、見づらく感じられる。これは一般的な双眼鏡では、主に無限遠〜数十ｍ先の対象を観察することを基本として、左右の対物レンズ光軸を平行に固定しているからであり、その双眼鏡で近距離を観察すると、対象に対する調節値（合焦対象までの距離、ディオプタ[dptr]=[1/メートル]）と「輻輳値」（左右の視線が交差する距離、メートル角[MW]=[1/メートル]）とがあまりにも大きく食い違ってしまうからである。対象を高い倍率で観察する双眼鏡の場合はこの食い違いの影響は顕著で、例えば１０倍の双眼鏡では、この食い違いも肉眼の１０倍になるということであり、この大きな「調節値と輻輳値の食い違い」は眼に負担で、非常に疲れるのである（「輻輳」とは近距離の対象物を見ようとするときに両眼の視軸が集中することであり、その両視軸を挟む角度を「輻輳角」という）。
【０００３】
この問題に鑑み、双眼鏡で近距離を観察するときに両眼の負担を軽減すべく、下記特許文献１ないし３では、近距離を観察する場合に両対物レンズを光軸と直交する方向に移動して互いに接近させることによって、調節値に合わせて輻輳値（輻輳角）を補正する機構を設けた双眼鏡が提案されている。
【０００４】
しかしながら、特許文献１ないし３に記載されたような双眼鏡を実際に設計すると、対物レンズを光軸と直交する方向へ移動させなければならない距離が過大であり、その移動距離を実現する機構を組み込むと双眼鏡全体が肥大化する。また光軸の偏心による光学性能の劣化が大きいという問題がある。このため、輻輳値補正機構を備えた双眼鏡は未だ実用化には至っていない。
【０００５】
【特許文献１】特許第３０９０００７号公報
【特許文献２】特許第３１９６６１３号公報
【特許文献３】特許第３１８９３２８号公報
【発明の開示】
【発明が解決しようとする課題】
【０００６】
本発明の目的は、近距離観察時に調節値に合わせて輻輳値を小型かつ簡単な機構で補正することができ、また、輻輳値を高精度で補正することができる双眼鏡を提供することにある。
【課題を解決するための手段】
【０００７】
このような目的は、下記（１）〜（８）の本発明により達成される。
（１）  対物光学系、正立光学系および接眼光学系を有する観察光学系を一対備えた双眼鏡であって、
前記観察光学系の一部を移動させることによりフォーカシングを行うフォーカシング機構と、
前記フォーカシング機構の作動に連動して前記対物光学系の全部または一部である対物変位要素を変位させることにより輻輳値を補正する輻輳値補正機構とを備え、
前記両接眼光学系は、使用者の眼幅に合わせてその光軸間距離を調整可能であり、
使用時における前記両対物変位要素の光軸間距離の最大値が前記両接眼光学系の光軸間距離の最小値より小さいことを特徴とする双眼鏡。
【０００８】
これにより、輻輳値補正に必要な対物変位要素の変位量が小さくて済むので、輻輳値補正機構の搭載に伴う双眼鏡の肥大化を防止することができる。また、輻輳値補正機構の構造も簡素化することができ、製造コストの増大を回避することができる。
【０００９】
（２）  前記観察光学系は、前記接眼光学系の、前記正立光学系に対する入射側光軸と射出側光軸とで所定の段差を有し、
前記両対物変位要素を収納する、一体となった本体と、
左側の前記入射側光軸を中心として前記本体に対し回動可能に設置され、左側の前記接眼光学系および前記正立光学系を収納する左鏡体と、
右側の前記入射側光軸を中心として前記本体に対し回動可能に設置され、右側の前記接眼光学系および前記正立光学系を収納する右鏡体とをさらに備え、
前記本体に対し前記左鏡体および前記右鏡体を回動させることにより前記両接眼光学系の前記射出側光軸間距離を調整可能である上記（１）に記載の双眼鏡。
【００１０】
これにより、調節値に合わせて輻輳値を高精度で補正できると共に、双眼鏡のさらなる小型化が図れる。
【００１１】
（３）  前記輻輳値補正機構は、前記両対物変位要素の光軸間距離を変化させることにより輻輳値を補正する上記（１）または（２）に記載の双眼鏡。
これにより、より簡単な構造で輻輳値補正機構を構成することができる。
【００１２】
（４）  前記各対物変位要素は、その光軸に平行な直線を中心として回動可能に設置されており、この回動により前記両対物変位要素の光軸間距離が変化する上記（３）に記載の双眼鏡。
これにより、さらに簡単な構造で輻輳値補正機構を構成することができる。
【００１３】
（５）  前記フォーカシング機構は、前記対物変位要素を移動させることによりフォーカシングを行うように構成されており、
前記輻輳値補正機構は、前記フォーカシング機構の作動によって前記各対物変位要素が移動するのに伴って前記各対物変位要素が前記各直線を中心として回動するように案内する部分を有する案内手段で構成されている上記（４）に記載の双眼鏡。
【００１４】
これにより、輻輳値補正機構の構成を極めて簡単にすることができるとともに、より高精度に輻輳値を補正することができる。
【００１５】
（６）  前記案内手段は、前記対物光学系の光軸に平行に設置され、前記各対物変位要素の回動中心となるガイド軸と、前記対物光学系の光軸に対し傾斜した方向に沿って延びる傾斜部を少なくとも一部に有するガイドレールと、前記各対物変位要素を保持するレンズ枠に設けられ、前記ガイドレールに係合する係合部とを有し、
前記係合部が前記ガイドレールの傾斜部に係合した状態では、前記フォーカシング機構の作動によって前記各対物変位要素が移動するのに伴って前記各対物変位要素が前記各ガイド軸を中心として回動する上記（５）に記載の双眼鏡。
【００１６】
これにより、輻輳値補正機構の構成を極めて簡単にすることができるとともに、より高精度に輻輳値を補正することができる。
【００１７】
（７）  前記各対物変位要素を保持するレンズ枠をさらに備え、
前記両レンズ枠は、それぞれ、前記両対物変位要素の光軸間距離が小さくなったときに互いに接近する部分が欠損した形状をなしており、この部分を欠損させなかった場合よりもさらに近くまで互いに接近可能になっている上記（３）ないし（６）のいずれかに記載の双眼鏡。
【００１８】
これにより、対物光学系の口径を維持しつつ、より近い距離まで輻輳値補正を行うことができる。
【００１９】
（８）  前記両対物変位要素は、それぞれ、その光軸間距離が小さくなったときに互いに接近する部分が欠損した形状をなしており、この部分を欠損させなかった場合よりもさらに近くまで互いに接近可能になっている上記（３）ないし（７）のいずれかに記載の双眼鏡。
【００２０】
これにより、対物光学系の口径を維持しつつ、より近い距離まで輻輳値補正を行うことができる。
【発明の効果】
【００２１】
本発明によれば、輻輳値補正に必要な対物変位要素の変位量が小さくて済むので、輻輳値を高精度に補正することができるとともに、輻輳値補正機構の搭載に伴う双眼鏡の肥大化を防止することができる。
また、輻輳値補正機構の構造も簡素化することができ、製造コストの増大を回避することができる。
【発明を実施するための最良の形態】
【００２２】
以下、本発明の双眼鏡を添付図面に示す好適な実施形態に基づいて詳細に説明する。
＜第１実施形態＞
図１、図２および図３は、それぞれ、本発明の第１実施形態の双眼鏡が無限遠の観察対象物に対して合焦したときの状態（以下、「無限遠合焦状態」と言う）を示す断面平面図、断面側面図および断面正面図、図４、図５および図６は、それぞれ、本発明の第１実施形態の双眼鏡が最近距離の観察対象物に対して合焦したときの状態（以下、「最近距離合焦状態」と言う）を示す断面平面図、断面側面図および断面正面図、図７は、輻輳値補正に必要な対物光学系の変位量を説明するための模式図である。なお、本明細書では、図１中の上側および図２中の左側を「前」、図１中の下側および図２中の右側を「後」とし、また、図２および図３中の上側を「上」、下側を「下」として説明する。
【００２３】
図１に示すように、双眼鏡１は、左眼用の観察光学系２Ｌと、右眼用の観察光学系２Ｒと、これらの光学系を収納するケーシングとなる本体３、左鏡体４Ｌおよび右鏡体４Ｒと、観察対象物の距離に合わせてフォーカシング（合焦）を行うためのフォーカシング機構５とを有している。
【００２４】
観察光学系２Ｌ、２Ｒは、それぞれ、対物光学系２１Ｌ、２１Ｒと、正立光学系２２Ｌ、２２Ｒと、接眼光学系２３Ｌ、２３Ｒとを有している。この観察光学系２Ｌ、２Ｒにおける正立光学系２２Ｌ、２２Ｒはポロプリズムで構成されている。これにより、接眼光学系２３Ｌ、２３Ｒの、正立光学系２２Ｌ、２２Ｒに対する入射側光軸Ｏ２１Ｌ、Ｏ２１Ｒと射出側光軸Ｏ２２Ｌ、Ｏ２２Ｒとの間には所定の段差（間隔）が形成されている。なお、無限遠合焦状態のときには、対物光学系２１Ｌ、２１Ｒの光軸Ｏ１Ｌ、Ｏ１Ｒは、入射側光軸Ｏ２１Ｌ、Ｏ２１Ｒに一致する。
【００２５】
両対物光学系２１Ｌ、２１Ｒは、共に、一体となった（一つの）本体３に設置されている。これに対し、左側の接眼光学系２３Ｌおよび正立光学系２２Ｌと、右側の接眼光学系２３Ｒおよび正立光学系２２Ｒとは、左鏡体４Ｌと右鏡体４Ｒとに分かれて設置されている。本体３、左鏡体４Ｌおよび右鏡体４Ｒは、それぞれ、１部品で構成されていてもよく、複数の部品を組み合わせて構成されていてもよい。
【００２６】
左鏡体４Ｌ、右鏡体４Ｒは、それぞれ、入射側光軸Ｏ２１Ｌ、Ｏ２１Ｒを中心として本体３に対し所定角度範囲で回動可能に連結されており、また、その範囲では任意の状態で摩擦によりその状態を保持することができるようになっている。
【００２７】
左鏡体４Ｌ、右鏡体４Ｒを本体３に対し互いに反対回りに回動させることによって、両接眼光学系の２３Ｌ、２３Ｒの光軸Ｏ２Ｌ、Ｏ２Ｒ間距離（射出側光軸Ｏ２２Ｌ、Ｏ２２Ｒ間距離）、すなわち眼幅を調整することができる。なお、双眼鏡１には、左鏡体４Ｌ、右鏡体４Ｒを互いに反対回りに連動させる図示しない連動機構が設けられているのが好ましい。
【００２８】
図示の構成では、本体３の前方に開口する窓部には、カバーガラス１２が設置されている。これにより、ゴミ、ホコリなどが本体３内に侵入するのを防止することができる。このカバーガラス１２は、なくてもよい。
【００２９】
鏡体４Ｌ、４Ｒの後端部には、それぞれ、目当て部材１３Ｌ、１３Ｒが接眼光学系２３Ｌ、２３Ｒと同心的に設置されている。目当て部材１３Ｌ、１３Ｒは、光軸Ｏ２Ｌ、Ｏ２Ｒ方向に変位可能になっており、図１等に示す収納状態から、後方へ引き出した状態（図示せず）へ移動可能になっている。使用者は、眼鏡着用の有無や、顔の彫りの深さの違いなどに応じ、目当て部材１３Ｌ、１３Ｒの位置を自分に合わせて調整し、目当て部材１３Ｌ、１３Ｒの後端面に目の周囲または眼鏡を当てた状態で接眼光学系２３Ｌ、２３Ｒを覗く。これにより、使用者は、目をアイポイント（かげらずに全視野が見られる位置）に安定的に置くことができる。
【００３０】
対物光学系２１Ｌ、２１Ｒは、本体３内で移動可能になっており、フォーカシング機構５の作動によって移動する。図２および図３に示すように、本体３には、対物光学系２１Ｌ、２１Ｒの移動を案内する案内手段として、ガイド軸１１Ｌ、１１Ｒと、ガイド溝（ガイドレール）３１Ｌ、３１Ｒとが設けられている。
【００３１】
ガイド軸１１Ｌ、１１Ｒは、それぞれ、真直な棒で構成されており、光軸Ｏ１Ｌ、Ｏ１Ｒに平行な姿勢で対物光学系２１Ｌ、２１Ｒの上側に設置されている。図３に示すように、対物光学系２１Ｌ、２１Ｒを保持するレンズ枠６Ｌ、６Ｒの上方に形成された突出部６１Ｌ、６１Ｒには、それぞれ、ガイド軸１１Ｌ、１１Ｒを挿通する孔が形成されている。これにより、対物光学系２１Ｌ、２１Ｒは、それぞれ、ガイド軸１１Ｌ、１１Ｒに沿って移動可能であるとともに、ガイド軸１１Ｌ、１１Ｒを中心として回動可能になっている。
【００３２】
ガイド溝３１Ｌ、３１Ｒは、本体３の下側の内壁に形成されている。レンズ枠６Ｌ、６Ｒの下方には、それぞれ、ガイド溝３１Ｌ、３１Ｒに挿入する突起（係合部）６２Ｌ、６２Ｒが形成されている。対物光学系２１Ｌ、２１Ｒがガイド軸１１Ｌ、１１Ｒに沿って移動すると、突起６２Ｌ、６２Ｒは、ガイド溝３１Ｌ、３１Ｒに沿って移動する。
【００３３】
図１に示すように、フォーカシング機構５は、操作部としての転輪（ピントリング）５１と、転輪５１に伴って回転する転輪軸５２と、羽根５３とを有している。転輪５１および転輪軸５２は、平面視で両観察光学系２Ｌ、２Ｒの間に位置しており、本体３に回転可能に支持されている。羽根５３は、転輪軸５２の外周面に形成された雄ネジに螺合する雌ネジを有する基部５３１と、基部５３１から左右へそれぞれ突出する腕５３２Ｌ、５３２Ｒとを有している。腕５３２Ｌ、５３２Ｒの先端部は、レンズ枠６Ｌ、６Ｒの突出部６１Ｌ、６１Ｒに形成された溝に挿入されている。
【００３４】
転輪５１を所定方向に回転させると、基部５３１が転輪軸５２に沿って前進し、この力が腕５３２Ｌ、５３２Ｒを介してレンズ枠６Ｌ、６Ｒに伝達され、対物光学系２１Ｌ、２１Ｒが前方へせり出していく。また、転輪５１を前記所定方向と反対に回転させると、対物光学系２１Ｌ、２１Ｒが後方へ引っ込んでいく。このようなフォーカシング機構５の作動により、フォーカシングを行うことができる。
【００３５】
図１ないし図３に示す無限遠合焦状態においては、対物光学系２１Ｌ、２１Ｒは、後方に引っ込んだ状態になっている。
【００３６】
これに対し、図４ないし図６に示す最近距離合焦状態は、対物光学系２１Ｌ、２１Ｒが前方へ最大にせり出した状態であり、この状態において双眼鏡１の最短ピント合わせ距離が得られる。最短ピント合わせ距離は、特に限定されないが、次に述べるように本発明の双眼鏡１は輻輳値補正機構を備えていて近距離観察にも適しているので、０．３〜１ｍ程度と比較的短いことが望ましい。
【００３７】
双眼鏡１は、フォーカシング機構５の作動に連動して対物光学系２１Ｌ、２１Ｒの光軸Ｏ１Ｌ、Ｏ１Ｒ間距離を変化させることにより輻輳値を補正する輻輳値補正機構を有している。本実施形態では、輻輳値補正機構は、前述したガイド軸１１Ｌ、１１Ｒと、ガイド溝３１Ｌ、３１Ｒと、突起６２Ｌ、６２Ｒとで構成されている。以下、双眼鏡１における輻輳値の補正について説明する。
【００３８】
図４に示すように、ガイド溝３１Ｌ、３１Ｒは、対物光学系２１Ｌ、２１Ｒの光軸Ｏ１Ｌ、Ｏ１Ｒに対し傾斜した方向に沿って延びる傾斜部３１１Ｌ、３１１Ｒと、傾斜部３１１Ｌ、３１１Ｒの後方に連続して形成され、光軸Ｏ１Ｌ、Ｏ１Ｒに平行に延びる平行部３１２Ｌ、３１２Ｒとを有している。傾斜部３１１Ｌ、３１１Ｒは、前方に向かって互いに近づいていくような向きに傾斜している。平行部３１２Ｌ、３１２Ｒの途中個所の側方には、無限遠合焦状態における対物光学系２１Ｌ、２１Ｒあるいは突起６２Ｌ、６２Ｒの位置を示す指標３２Ｌ、３２Ｒが付されている。
【００３９】
突起６２Ｌ、６２Ｒが平行部３１２Ｌ、３１２Ｒにあるときは、フォーカシング機構５が作動して対物光学系２１Ｌ、２１Ｒが移動しても、光軸Ｏ１Ｌ、Ｏ１Ｒ間距離は、変化しない。すなわち、無限遠合焦状態の付近では、輻輳値補正がかからないようになっている。比較的遠い距離のものを観察するときには、輻輳値補正は不要だからである。
【００４０】
これに対し、突起６２Ｌ、６２Ｒが傾斜部３１１Ｌ、３１１Ｒにあるときは、フォーカシング機構５が作動して対物光学系２１Ｌ、２１Ｒが前進していくに従い、突起６２Ｌ、６２Ｒが傾斜部３１１Ｌ、３１１Ｒに沿って中央に近づいていくので、対物光学系２１Ｌ、２１Ｒがガイド軸１１Ｌ、１１Ｒを中心として回動することにより、光軸Ｏ１Ｌ、Ｏ１Ｒ間距離が次第に小さくなっていき、輻輳値補正がかかる（図３および図６参照）。
【００４１】
このようにして輻輳値補正がかかることにより、近距離を観察するときであっても左眼で見た観察像と右眼で見た観察像とのズレが防止され、見易く快適に観察することができる。
【００４２】
輻輳値補正がかかり始めるときのピント合わせ距離（調節値）は、特に限定されないが、３〜５ｍ程度であるのが好ましい。ガイド溝３１Ｌ、３１Ｒにおける傾斜部３１１Ｌ、３１１Ｒと平行部３１２Ｌ、３１２Ｒとの境界地点は、輻輳値補正がかかり始めるときのピント合わせ距離に対応した位置にされている。
【００４３】
さて、このような双眼鏡１は、図１に示すように、使用時において対物光学系２１Ｌ、２１Ｒの光軸Ｏ１Ｌ、Ｏ１Ｒ間距離が接眼光学系２３Ｌ、２３Ｒの光軸Ｏ２Ｌ、Ｏ２Ｒ間距離（射出側光軸Ｏ２２Ｌ、Ｏ２２Ｒ間距離）より常に小さくなるように構成されている。換言すれば、対物光学系２１Ｌ、２１Ｒの光軸Ｏ１Ｌ、Ｏ１Ｒ間距離の最大値（図１に示す状態）は、眼幅を最小に調整した状態（ただし、双眼鏡として使用可能な状態を言い、折り畳み状態は含まない。）での接眼光学系２３Ｌ、２３Ｒの光軸Ｏ２Ｌ、Ｏ２Ｒ間距離（射出側光軸Ｏ２２Ｌ、Ｏ２２Ｒ間距離）より小さくされている。
【００４４】
この構成により、双眼鏡１では、両対物光学系の光軸間距離が両接眼光学系の光軸間距離に等しいダハプリズム双眼鏡や、両対物光学系の光軸間距離が両接眼光学系の光軸間距離より大きい双眼鏡（ツアイスタイプやボシュロムタイプ双眼鏡など）と比べ、輻輳値を補正するために必要な対物光学系２１Ｌ、２１Ｒの変位量が少なくて済む。この理由について図７を参照して説明する。
【００４５】
図７では、右側の光学系のみが図示されているが、左側についても同様である。同図では、無限遠にある無限距離物体を観察するときの右側の対物光学系１００Ｒの位置が実線で示されている。対物光学系１００Ｒから有限距離ａ（調節値、ａ＜０）にある物体２００を、輻輳値を補正した状態で観察するためには、この対物光学系１００Ｒを双眼鏡の中心線に近づけて、破線で示す位置へ移動させる必要がある。このときの対物光学系１００Ｒの移動距離ｙは、対物光学系１００Ｒの焦点距離をｆ、両対物光学系の光軸間距離を２Ｄ、輻輳角を２θ、対物光学系から物体２００の対物光学系１００Ｒによる結像位置までの距離をｂ（ｂ＞０）とすると、図７と結像の公式１／ｂ＝１／ａ＋１／ｆから分かるように、ｙ＝ｂ×ｔａｎθ＝｛ｆ×ａ／（ａ＋ｆ）｝×ｔａｎθ＝｛ｆ×ａ／（ａ＋ｆ）｝×Ｄ／（−ａ＋ｂ）＝Ｄ×[ｆ×ａ／（ａ＋ｆ）／｛−ａ＋ｆ×ａ／（ａ＋ｆ）｝]で求められる。すなわち、輻輳値を補正するために必要な対物光学系１００Ｒの移動距離ｙは、Ｄに比例して大きくなる。逆に言えば、両対物光学系の光軸間距離が短いほど、輻輳値補正に必要な対物光学系の変位量を少なくすることができる。
【００４６】
本発明の双眼鏡１では、前述したように対物光学系２１Ｌ、２１Ｒの光軸Ｏ１Ｌ、Ｏ１Ｒ間距離が小さいので、上記の理由により、輻輳値補正のために対物光学系２１Ｌ、２１Ｒを光軸Ｏ１Ｌ、Ｏ１Ｒと垂直な方向へ移動させる距離が小さくて済む。よって、本体３を肥大化させることなしに輻輳値補正機構を搭載することができ、双眼鏡１全体をコンパクトにすることができる。また、輻輳値補正に必要な対物光学系２１Ｌ、２１Ｒの移動距離が小さくて済むことは、輻輳値補正の精度向上にも寄与し、高精度に輻輳値を補正することができる。
【００４７】
また、輻輳値補正に必要な対物光学系２１Ｌ、２１Ｒの移動距離が小さくて済むので、本実施形態のように、対物光学系２１Ｌ、２１Ｒをそれぞれ回動させて光軸Ｏ１Ｌ、Ｏ１Ｒ間距離を変化させる対物回転方式による輻輳値補正が可能となる。対物回転方式は、構造が簡単であるので、製造コストの低減が図れる。
【００４８】
＜第２実施形態＞
図８は、本発明の第２実施形態の双眼鏡における最近距離合焦状態を示す断面正面図である。以下、この図を参照して本発明の双眼鏡の第２実施形態について説明するが、前述した実施形態との相違点を中心に説明し、同様の事項はその説明を省略する。
【００４９】
図８に示す双眼鏡１’における対物光学系２１Ｌ’、２１Ｒ’のレンズ枠６Ｌ’、６Ｒ’は、Ｄカット部６３Ｌ、６３Ｒを有しており、輻輳値補正によって光軸Ｏ１Ｌ、Ｏ１Ｒ間距離が小さくなったときに互いに接近する部分が欠損した形状をなしている。これにより、Ｄカット部６３Ｌ、６３Ｒを設けなかったと仮定した場合よりも、対物光学系２１Ｌ’、２１Ｒ’がより近くまで接近可能になっている。よって、対物光学系２１Ｌ’、２１Ｒ’の口径を維持しつつ、より近い距離まで輻輳値補正を行うことができる。
【００５０】
図示の構成では、レンズ枠６Ｌ’、６Ｒ’のＤカット部６３Ｌ、６３Ｒに合わせて対物光学系２１Ｌ’、２１Ｒ’もＤカットされているが、レンズ枠６Ｌ’、６Ｒ’のみをＤカットしてもよい。
【００５１】
以上、本発明の双眼鏡を図示の実施形態について説明したが、本発明は、これに限定されるものではなく、双眼鏡を構成する各部は、同様の機能を発揮し得る任意の構成のものと置換することができる。
【００５２】
例えば、図示の実施形態では、ガイドレールを溝（ガイド溝）で構成したが、ガイドレールを凸条で構成し、レンズ枠にこの凸条が挿入する溝を係合部として設ける構成でもよい。また、レンズ枠に設けた突起をガイドレールの側面にバネによって押し付けるように構成すれば、ガイドレールを段差で構成することもできる。
【００５３】
また、図示の実施形態では、両対物光学系を回動させることによってその光軸間距離を変化させる構成について説明したが、両対物光学系を光軸と直交する方向に平行移動させることによって光軸間距離を変化させるように構成してもよい。
【００５４】
また、図示の実施形態では、対物光学系を１レンズ群（１群２枚）で構成し、フォーカシング動作によって移動するレンズ群と輻輳調節の為のレンズ群を完全に兼用させたが、例えば対物光学系がもっと多くのレンズ群で構成されるような場合には、フォーカシング群と輻輳補正群にそれぞれ別のレンズ群を充てたり、一部を兼用させるような構成にしてもよいし、フォーカシング動作を対物光学系以外に含まれる光学部材で行うことも理論上は可能である。
【００５５】
また、本発明の双眼鏡は、両対物光学系の光軸間距離を変化させることによって輻輳値を補正する構成に限らず、各対物光学系（各対物光学要素）の光軸を傾斜させることによって輻輳値を補正する構成のものでもよい。
【図面の簡単な説明】
【００５６】
【図１】本発明の第１実施形態の双眼鏡における無限遠合焦状態を示す断面平面図である。
【図２】本発明の第１実施形態の双眼鏡における無限遠合焦状態を示す断面側面図である。
【図３】本発明の第１実施形態の双眼鏡における無限遠合焦状態を示す断面正面図である。
【図４】本発明の第１実施形態の双眼鏡における最近距離合焦状態を示す断面平面図である。
【図５】本発明の第１実施形態の双眼鏡における最近距離合焦状態を示す断面側面図である。
【図６】本発明の第１実施形態の双眼鏡における最近距離合焦状態を示す断面正面図である。
【図７】輻輳値補正に必要な対物光学系の変位量を説明するための模式図である。
【図８】本発明の第２実施形態の双眼鏡における最近距離合焦状態を示す断面正面図である。
【符号の説明】
【００５７】
１、１’      双眼鏡
１１Ｌ、１１Ｒ  ガイド軸
１２          カバーガラス
１３Ｌ、１３Ｒ  目当て部材
２Ｌ、２Ｒ    観察光学系
２１Ｌ、２１Ｒ、２１Ｌ’、２１Ｒ’  対物光学系
２２Ｌ、２２Ｒ  正立光学系
２３Ｌ、２３Ｒ  接眼光学系
３            本体
３１Ｌ、３１Ｒ  ガイド溝
３１１Ｌ、３１２Ｒ  傾斜部
３１２Ｌ、３１２Ｒ  平行部
３２Ｌ、３２Ｒ  指標
４Ｌ          左鏡体
４Ｒ          右鏡体
５            フォーカシング機構
５１          転輪
５２          転輪軸
５３          羽根
５３１        基部
５３２Ｌ、５３２Ｒ  腕
６Ｌ、６Ｒ、６Ｌ’、６Ｒ’  レンズ枠
６１Ｌ、６１Ｒ  突出部
６２Ｌ、６２Ｒ  突起
６３Ｌ、６３Ｒ  Ｄカット部
１００Ｒ      対物光学系
２００        物体
Ｏ１Ｌ、Ｏ１Ｒ、Ｏ２Ｌ、Ｏ２Ｒ  光軸
Ｏ２１Ｌ、Ｏ２１Ｒ  入射側光軸
Ｏ２２Ｌ、Ｏ２２Ｒ  射出側光軸
【図１】
2005221991.tif 000003
【図２】
2005221991.tif 000004
【図３】
2005221991.tif 000005
【図４】
2005221991.tif 000006
【図５】
2005221991.tif 000007
【図６】
2005221991.tif 000008
【図７】
2005221991.tif 000009
【図８】
2005221991.tif 000010